(57)【要約】【課題】タオルの先端部が滑ることなく折り返され、それに続いてタオルを適正に巻くことができるタオル巻き装置を提供する。【解決手段】このタオル巻き装置１は、タオルを搬送する循環移動の搬送用ベルト２と、搬送用ベルト２に沿って近接し、それとの間でタオルの先端部を折り返し、それに続いてタオルを巻いて行くベルト近接体３と、を備え、ベルト近接体３は、搬送用ベルト２に対向する面には、搬送用ベルト２の移動方向と逆方向を向くように、毛を揃えて傾斜させたブラシ部材３１が取り付けられている。【選択図】図２
2015009009.tif 000002
【特許請求の範囲】
【請求項１】
タオルを搬送する循環移動の搬送用ベルトと、
該搬送用ベルトに沿って近接し、それとの間で前記タオルの先端部を折り返し、それに続いて前記タオルを巻いて行くベルト近接体と、を備え、
該ベルト近接体は、前記搬送用ベルトに対向する面には、前記搬送用ベルトの移動方向と逆方向を向くように、毛を揃えて傾斜させたブラシ部材が取り付けられていることを特徴とするタオル巻き装置。
【請求項２】
請求項１に記載のタオル巻き装置において、
前記搬送用ベルトの内側には、前記搬送用ベルトの動きに追従して回転する複数のベルト支持用ローラが、前記搬送用ベルトの搬送方向に略平行に設けられていることを特徴とするタオル巻き装置。
【請求項３】
請求項１又は２に記載のタオル巻き装置において、
前記搬送用ベルトの前記ベルト近接体側と反対側には、誘導路部材が設けられており、該誘導路部材と前記搬送用ベルトとの間では、巻かれた前記タオルは、前記搬送用ベルトに接触しながら、その動きに追従して移動することを特徴とするタオル巻き装置。
【発明の詳細な説明】
【技術分野】
【０００１】
本発明は、タオルを巻くタオル巻き装置に関する。
【背景技術】
【０００２】
飲食店などにおいては、タオル或いは紙製のおしぼりは、通常、丸く巻かれたロール状態で来客に提供される。このようなおしぼりは、一般に、おしぼりを搬送する循環移動の搬送用ベルトと、この搬送用ベルトに沿って近接し、それとの間でおしぼりの先端部を折り返し、それに続いておしぼりを巻いて行くベルト近接体と、を備えた装置で自動的に巻かれる。ベルト近接体には、接触したおしぼりが滑らないように、凹凸を付けた滑り止めパターンなどの滑り止め部が形成されている。
【０００３】
例えば、特許文献１には、おしぼりの先端部を折り返すベルト近接体の一部（巻き心形成部）に滑り止めパターンの滑り止め部を形成した装置が記載されている。
【先行技術文献】
【特許文献】
【０００４】
【特許文献１】特開２００１−０４６２６５号公報
【発明の概要】
【発明が解決しようとする課題】
【０００５】
しかしながら、特許文献１に記載のものを含め従来の滑り止めパターンの滑り止め部では、多量のおしぼりを処理していると、その中には、滑り止め動作に失敗して折り返しがうまく行われず、適正に丸く巻かれないことも実際には起こり得る。
【０００６】
本願発明者は、おしぼり用のタオルを巻く装置を鋭意研究し、タオルを適正に巻くことができるタオル巻き装置を案出した。
【０００７】
本発明は、係る事由に鑑みてなされたものであり、その目的は、タオルの先端部が滑ることなく折り返され、それに続いてタオルを適正に巻くことができるタオル巻き装置を提供することにある。
【課題を解決するための手段】
【０００８】
上記目的を達成するために、請求項１に記載のタオル巻き装置は、タオルを搬送する循環移動の搬送用ベルトと、該搬送用ベルトに沿って近接し、それとの間で前記タオルの先端部を折り返し、それに続いて前記タオルを巻いて行くベルト近接体と、を備え、該ベルト近接体は、前記搬送用ベルトに対向する面には、前記搬送用ベルトの移動方向と逆方向を向くように、毛を揃えて傾斜させたブラシ部材が取り付けられていることを特徴とする。
【０００９】
請求項２に記載のタオル巻き装置は、請求項１に記載のタオル巻き装置において、前記搬送用ベルトの内側には、前記搬送用ベルトの動きに追従して回転する複数のベルト支持用ローラが、前記搬送用ベルトの搬送方向に略平行に設けられていることを特徴とする。
【００１０】
請求項３に記載のタオル巻き装置は、請求項１又は２に記載のタオル巻き装置において、前記搬送用ベルトの前記ベルト近接体側と反対側には、誘導路部材が設けられており、該誘導路部材と前記搬送用ベルトとの間では、巻かれた前記タオルは、前記搬送用ベルトに接触しながら、その動きに追従して移動することを特徴とする。
【発明の効果】
【００１１】
本発明のタオル巻き装置によれば、ベルト近接体の搬送用ベルトに対向する面には、搬送用ベルトの移動方向と逆方向に毛を揃えて傾斜させたブラシ部材が取り付けられているので、タオルの先端部が滑ることなく折り返され、それに続いてタオルを適正に巻くことができる。
【図面の簡単な説明】
【００１２】
【図１】本発明の実施形態に係るタオル巻き装置の概略平面図である。
【図２】同上のタオル巻き装置のＡ−Ａ切断線で切断した概略断面側面図である。
【図３】同上のタオル巻き装置のベルト近接体の曲部３ｃの近傍をタオルとともに拡大して模式的に示す拡大概略断面側面図である。
【図４】同上のタオル巻き装置におけるタオルの折り返しを拡大して模式的に示す概略断面側面図である。
【図５】同上のタオル巻き装置においてタオルが巻かれて行く様子を拡大して模式的に示す概略断面側面図である。
【図６】同上のタオル巻き装置の実施形態変形例の概略平面図である。
【図７】同上のタオル巻き装置の実施形態変形例のＢ−Ｂ切断線で切断した概略断面側面図である。
【発明を実施するための形態】
【００１３】
以下、本発明を実施するための形態を図面を参照しながら説明する。本発明の実施形態に係るタオル巻き装置１は、図１及び図２に示すように、タオルＰ（図１において破線で示す。）を搬送する循環移動の搬送用ベルト２と、この搬送用ベルト２に沿って近接し、それとの間でタオルＰの先端部Ｐａを折り返し、それに続いてタオルＰを巻いて行くベルト近接体３と、を備えている。
【００１４】
搬送用ベルト２は、２個のベルト掛渡用ローラ４Ａ、４Ｂの間に閉じて掛け渡されている。２個のベルト掛渡用ローラ４Ａ、４Ｂのいずれかが駆動用（モータからトルクが伝達されるもの）となっており、その回転に追従して搬送用ベルト２は循環移動（移動して循環）する。タオルＰは、人手により或いは前段の別のタオル処理装置により、ベルト掛渡用ローラ４Ａ側の搬送用ベルト２上に載置される。なお、図１中の符号５は、モータを示し、符号５Ａは、ベルト掛渡用ローラ４Ａにトルクを伝達する伝達ベルトを示す。
【００１５】
ベルト近接体３は、図２に示すように、搬送用ベルトに沿って近接するよう配置される平板状のベルト近接体本体３０と、ベルト近接体本体３０の搬送用ベルト２に対面する表面に接合固定されるブラシ部材３１と、を有する。ベルト近接体３は、基端部３ａ（ベルト掛渡用ローラ４Ｂ側の端部）と先端部３ｂ（ベルト掛渡用ローラ４Ａ側の端部）と曲部３ｃとにより大略逆へ字状をなしている。ベルト近接体３のベルト近接体本体３０は、金属等により作製することができる。
【００１６】
ベルト近接体３の基端部３ａは、タオル巻き装置１の各部材を支持する枠組６の一部６ａに固定されている。
【００１７】
ベルト近接体３の先端部３ｂは、枠組６の一部６ｂにネジ３２などによって取り付けられている。ネジ３２の頭部とベルト近接体３の先端部３ｂとの間には、バネ（コイルバネ）３３が挟まれている。バネ３３は、ベルト近接体３に搬送用ベルト２に向かう力（付勢力）を付与する。なお、ベルト近接体３の先端部３ｂのかわりに、基端部３ａと先端部３ｂ間の適当な中間部を、同様にして、枠組６の一部に取り付けてもよい。
【００１８】
ベルト近接体３のブラシ部材３１は、図２に示すように、ベルト近接体３の曲部３ｃを含んで広い範囲に設けることができる。図２では、ベルト近接体本体３０に接合固定し易いように、ブラシ部材３１を先端部３ｂで折り返してベルト近接体本体３０の反対側（上側）にまで設けている。
【００１９】
ベルト近接体３のブラシ部材３１は、図３に示すように、搬送用ベルト２の移動方向（図３において破線の矢印で示す。）と逆方向を向くように、毛３１ａを揃えて傾斜させている。ブラシ部材３１の毛３１ａは、例えば、衣服等に対して使用するエチケットブラシ（日本シール株式会社の登録商標）の表面に用いられている毛（パイル）の材質（例えば、ナイロン）を用いることが可能である。なお。図３において、符号３１ｂは、ブラシ部材３１の毛３１ａが植毛されているブラシ基部を示す。
【００２０】
このようなベルト近接体３の曲部３ｃは、搬送されて来るタオルＰの先端部Ｐａが接触するように、図３に示すように、搬送用ベルト２との間の隙間が狭くなっている。ベルト近接体３の曲部３ｃは、搬送用ベルト２に接触していてもよい。よって、ベルト近接体３は、その先端部３ｂから曲部３ｃに向かって搬送用ベルト２との間の隙間が狭くなって行き、曲部３ｃから基端部３ａに向かって徐々に搬送用ベルト２との間の隙間が徐々に広くなって行く。先端部３ｂから曲部３ｃまでの距離は短くてもよいが、曲部３ｃから基端部３ａまでの距離は、タオルＰを巻いて行くので、ある程度の長さが必要である。
【００２１】
閉じた搬送用ベルト２の内側には、搬送用ベルト２が接触したとき、その動きに追従して回転する複数のベルト支持用ローラ７が、搬送用ベルト２の搬送方向にほぼ平行に設けられている。複数のベルト支持用ローラ７は、通常状態で（搬送用ベルト２上にタオルＰがないとき）、搬送用ベルト２に接触していても、或いは僅かに搬送用ベルト２から離れていてもよい。複数のベルト支持用ローラ７は、図２に示すように、閉じた搬送用ベルト２の内側の枠組６の一部６ｃに取り付けられている。
【００２２】
このような構成のタオル巻き装置１は、以下に述べるように動作する。すなわち、タオルＰは、ベルト近接体３よりも前側（ベルト掛渡用ローラ４Ａ側）の搬送用ベルト２上に載置されると、その搬送方向に移動してベルト近接体３の下側に入る。なお、タオルＰは、タオルＰがおしぼり用のタオルである場合は、通常、二つ折りされた状態で載置される。
【００２３】
そして、ベルト近接体３と搬送用ベルト２との間の隙間が非常に狭くなっている曲部３ｃの手前で、タオルＰの先端部Ｐａはブラシ部材３１に接触する。タオルＰは、表面にループ状の細かい糸が飛び出した起毛部分を有している。そのため、タオルＰの先端部Ｐａは、起毛部分がタオルＰの移動方向（搬送用ベルト２の搬送方向）と逆方向を向くように毛を揃えて傾斜させたブラシ部材３１の毛３１ａに引っかかって、図４に示すように、滑ることなく折り返すようになる。そして、タオルＰは、搬送用ベルト２の移動に追従して、ベルト近接体３と搬送用ベルト２との間で、図５に示すように、滑ることなく、巻径を大きくしながら巻かれて行く。
【００２４】
タオルＰは、ベルト近接体３の曲部３ｃにおいては、ベルト近接体３の先端部３ｂのバネ３３により搬送用ベルト２に向かって弾性的に押さえ付けられつつ、ベルト近接体３と搬送用ベルト２との間の隙間を広げながら通過する。
【００２５】
また、タオルＰは、巻径を大きくしながら巻かれて行くときには、複数のベルト支持用ローラ７に搬送用ベルト２を介して支えられる。複数のベルト支持用ローラ７は、搬送用ベルト２が接触すると、搬送用ベルト２の動きに追従して回転するので、搬送用ベルト２の動きに対して抵抗とはならない。よって、タオルＰは、搬送用ベルト２を介して複数のベルト支持用ローラ７に支えられながら、適正に巻かれて行く。また、搬送用ベルトは、複数のベルト支持用ローラ７との摩擦がほとんどないので、摩耗し難い。
【００２６】
このように、タオル巻き装置１では、タオルＰの先端部Ｐａが滑ることなく折り返されそれに続いてタオルＰを適正に巻くことができる。また、タオルＰが滑らないので、余分なスペースを必要とせず、タオル巻き装置１を小型化できる。
【００２７】
タオル巻き装置１は、タオルＰが飲食店などで使用されるおしぼり用のタオルである場合に限らず、その他のタオルの場合にも適用可能である。タオルＰがおしぼり用のタオルよりも大きいタオル（例えば、フェイスタオルなど）の場合は、四つ折り等の多重折りの状態で巻くことも可能である。このようなタオルＰは、介護センター、美容院、理容院などで使用することができる。
【００２８】
また、このようなタオルＰは、新しく生産されたもの、及び、使用後に回収され、洗浄工程などを経て再利用されるものが適用可能である。タオル巻き装置１は、小型化でき、また、簡素な構造であるので、大量にタオルＰを処理するタオル処理場のみならず、個々の飲食店、介護センター、美容院、理容院などに設置することもできる。
【００２９】
以上、本発明の実施形態に係るタオル巻き装置について説明したが、本発明は、実施形態に記載したものに限られることなく、特許請求の範囲に記載した事項の範囲内でのさまざまな設計変更が可能である。例えば、２個のベルト掛渡用ローラ４Ａ、４Ｂのいずれかを駆動するのに、モータによらず、人力によって行うことも可能である。
【００３０】
また、図６及び図７に示すように、殺菌液付与器８などタオルＰに他の処理を行うものを付加することも可能である。このタオル巻き装置１’の殺菌液付与器８は、パイプ８１を通って来た図外の殺菌液タンクからの殺菌液が、コック８２が開状態のときに滴下口８３から上側殺菌液付与ローラ８４に向かって滴下される。上側殺菌液付与ローラ８４の外周部は、スポンジなどの多孔質のものからできており、殺菌液を比較的多量に保持する。上側殺菌液付与ローラ８４は下側殺菌液付与ローラ８５に接しており、殺菌液は下側殺菌液付与ローラ８５に転移する。下側殺菌液付与ローラ８５は、搬送用ベルト２上のタオルＰが接触すると、タオルＰの動きに追従して回動しながら、それに殺菌液を付与する。そのとき、上側殺菌液付与ローラ８４も回動する。
【００３１】
また、タオル巻き装置１’は、タオル巻き装置１の構成の他に、タオルＰを載せると複数個（図では１０×４個）の誘導用ローラ９１によって搬送用ベルト２にタオルＰを誘導するタオル載置台９が設けられている。また、ベルト掛渡用ローラ４Ｂ側の搬送用ベルト２の端から落下した巻かれた状態のタオルＰを、タオル載置台９の下方に置かれる回収容器１０まで誘導するための誘導路部材６ｄ、６ｅが設けられている。誘導路部材６ｄ、６ｅは、枠組６の一部となっている。誘導路部材６ｅは、循環移動の搬送用ベルト２のベルト近接体３側と反対側に設けられており、誘導路部材６ｅと搬送用ベルト２との間の距離は、巻かれたタオルＰの直径よりも少し小さい程度である。そこでは、タオルＰは搬送用ベルト２に接触しながら、その動きに追従して移動し回収容器１０まで誘導される。なお、誘導路部材６ｄは、誘導路部材６ｅと搬送用ベルト２との間に巻かれたタオルＰを誘導する部材である。
【００３２】
このようなタオル巻き装置１’は、殺菌液をタオルＰに付与して巻いているのでタオルＰを長い時間衛生的に保つことができる。また、誘導路部材６ｄ、６ｅによって、巻かれたタオルＰは、タオル巻き装置１’（タオル載置台９）にタオルＰを載せる人の近くに置かれた回収容器１０に回収されるので、作業が効率的になる。
【符号の説明】
【００３３】
１    タオル巻き装置
２    搬送用ベルト
３    ベルト近接体
３１  ブラシ部材
７    ベルト支持用ローラ
Ｐ    タオル
Ｐａ  タオルの先端部
【図１】
2015009009.tif 000003
【図２】
2015009009.tif 000004
【図３】
2015009009.tif 000005
【図４】
2015009009.tif 000006
【図５】
2015009009.tif 000007
【図６】
2015009009.tif 000008
【図７】
2015009009.tif 000009